(57)【要約】【課題】  長尺原稿の損傷を少なくし、効率良く巻き取ることができる画像形成装置を提供する。【解決手段】  長尺原稿を挿入して画像形成を行う画像形成装置において、排紙される長尺原稿を巻き取る巻き取り装置を備えた。【選択図】        図１
2006246256.tif 000002
【特許請求の範囲】
【請求項１】
長尺原稿を読み取り位置に通過させつつ原稿画像の読み取りを行うスキャナ部を備えた画像形成装置において、読み取り位置から機外に排紙される長尺原稿部分を巻き取る巻き取り装置を備えたことを特徴とする画像形成装置。
【請求項２】
請求項１記載の画像形成装置において、前記巻き取り装置は装置本体上部のスキャナ部に搭載されていることを特徴とする画像形成装置。
【請求項３】
請求項１記載の画像形成装置において、前記巻き取り装置は、長尺原稿を巻き取る芯棒を有していることを特徴とする画像形成装置。
【請求項４】
請求項３記載の画像形成装置において、前記芯棒は、前記長尺原稿先端を芯棒表面に押さえ込む押さえ片を有していることを特徴とする画像形成装置。
【請求項５】
請求項４記載の画像形成装置において、押さえ片は密着性の高い軟質素材のシートであることを特徴とする画像形成装置。
【発明の詳細な説明】
【技術分野】
【０００１】
本発明は、長尺原稿を用いた画像形成を行うことができる画像形成装置（長尺原稿対応画像形成装置）に関する。
【背景技術】
【０００２】
複写機、プリンタ、ファクシミリ装置等の画像形成装置はスキャナを備え、スキャナによる読み取り位置にセットした原稿、或いは読み取り位置を通過する原稿の画像を読み取るように構成されている。後者のシートスルータイプの読み取り装置にあっては、読み取り部の面積を超えた長尺の原稿を読取る際に、読取りを終えて排紙されてきた原稿部分をどのように収容するか、という問題がある。
図７は従来例に係る長尺原稿対応画像形成装置において、長尺原稿が読み取り位置に給排紙される様子を示す側面図である。装置本体１の上部にはスキャナ部２が搭載されており、後面（図の左側）には、排紙ボックス３が設けてある。
長尺原稿４は本体１とスキャナ部２の間の給紙部５から読み取り位置に給紙され、原稿面をスキャナ部２で読み取られながら、排紙部６から排紙され、下方に落下して排紙ボックス３に排紙されてゆく。
【発明の開示】
【発明が解決しようとする課題】
【０００３】
上述のように、従来の長尺原稿対応画像形成装置においては、長尺原稿は、排紙ボックスに落下収容されるため、その後、排紙原稿を回収するためには原稿巻取り作業を行わなければならず、原稿も傷み易い状況であった。
本発明は、長尺原稿の損傷を少なくし、効率良く巻き取ることができる画像形成装置を提供することを目的とする。
【課題を解決するための手段】
【０００４】
上記目的を達成するために、請求項１記載の発明は、長尺原稿を読み取り位置に通過させつつ原稿画像の読み取りを行うスキャナ部を備えた画像形成装置において、読み取り位置から機外に排紙される長尺原稿部分を巻き取る巻き取り装置を備えたことを特徴とする。
請求項２記載の発明は、請求項１記載の画像形成装置において、巻き取り装置は本体上部のスキャナに搭載されている画像形成装置を主要な特徴とする。
請求項３記載の発明は、請求項１記載の画像形成装置において、巻き取り装置は、長尺原稿を巻き取る芯棒を有している画像形成装置を主要な特徴とする。
請求項４記載の発明は、請求項３記載の画像形成装置において、芯棒は、長尺原稿先端を芯棒表面に押さえ込む押さえ片を有している画像形成装置を主要な特徴とする。
請求項５記載の発明は、請求項４記載の画像形成装置において、押さえ片は密着性の高い軟質素材のシートである画像形成装置を主要な特徴とする。
【発明の効果】
【０００５】
本発明は、長尺原稿を挿入して画像形成を行う画像形成装置において、排紙される長尺原稿を巻き取る巻き取り装置を備えたことで、長尺原稿をスムーズに取り出すことができる。
【発明を実施するための最良の形態】
【０００６】
以下、本発明の実施の形態を図面に従って説明する。なお従来例と同一個所には同一符号を付して重複する説明は省略する。
図１は本発明の一実施形態に係る長尺原稿対応画像形成装置において、長尺原稿が給排紙される様子を示す側面図、図２は斜め正面斜視図、図３は図２のＡ視図である。
装置本体１の上部にはスキャナ部２が搭載されており、スキャナ部２の読み取り面積、或いは装置本体１の上面よりも長尺な長尺原稿４は、本体１とスキャナ部２の間の給紙部５から読み取り位置に給紙され、原稿面をスキャナ部２で読み取られながら、排紙部６から上向きに排紙され、巻き取り装置１２により巻き取られてゆく。スキャナ部或いは本体側には原稿を読み取り位置に取り込み、通過させてから排紙するベルトなどの搬送機構が設けられている。
画像形成装置は、図１、図２に示すように、スキャナ部２の後方上部に、前方へ向けて傾斜する排紙ガイド１１を設け、原稿を上向きにガイドする排紙部６を経て長尺原稿４を排紙ガイド１１に導くようになっている。そしてスキャナ部２の上部にあって排紙ガイド１１の先端部よりも下方位置には、長尺原稿４を巻き取る巻き取り装置１２が配置されている。
【０００７】
図３に示すように、巻き取り装置１２は、芯棒１３、芯棒１３を支持する左支持部１４、右支持部１５、左支持部１４の端部に支持されたハンドル１６、左支持部１４と右支持部１５間を連結してスキャナ部２上に固定するベース部１７を備えてなる。ハンドル１６と一体の支持シャフト１８は、中空の芯棒１３の左端部に嵌合されている。ここでは１つのベース部１７に左支持部１４、右支持部１５を固定した例を示したが、１つのベース部１７に左支持部１４、右支持部１５を固定することなく、両支持部１４、１５を分離独立させてもよい。
左支持部１４は、中空のハウジング１４−１、ハウジング１４−１内に配置されて支持シャフト１８を軸支するベアリング１４−２、ベアリングを押さえるスプリング１４−３を有する。右支持部１５は、スプリングがない以外は左支持部１４と同様にハウジング１５−１とベアリング１５−２を有する。ベアリング１５−２は、芯棒１３の右端部から嵌合された支持シャフト１９を軸支する。ハンドル１６をＢ方向（軸方向外側）へ引くと支持シャフト１８が外側へスライドして芯棒１３から抜き取ることができ芯棒１３が左支持部１４により支持された状態から解除し、更に支持シャフト１９を外すことにより芯棒１３を右支持部１５から取り外すことができる。
芯棒１３はハンドル１６を操作して手動回転させてもよいし、支持シャフト１８か１９をモータによって駆動するようにしてもよい。
排紙部６から上向きに排紙されてきた長尺原稿４は排紙ガイド１１の傾斜面に沿って上昇し、排紙ガイド１１の先端縁を越えた時点で巻き取り装置１２上に垂れ下がり、芯棒１３の外周に長尺原稿の先端部を近接させる。
【０００８】
図４は芯棒１３の斜視図である。芯棒１３にはゴム系の素材などのように弾性を有し、摩擦力、密着力の高い軟質シート状の押さえ片２１の一端部が固定され、押さえ片２１の他端側はフリーとなっている。
図５は芯棒によって長尺原稿が巻き取られる様子を示す断面図であり、図５（１）は巻き取り直前の状態を示し、図５（２）は巻き取り中の状態を示す。図５（１）に示すように、長尺原稿４の先端が芯棒１３と押さえ片２１の開口部２２に入った後、芯棒１３をＣ方向に巻いて行く。
長尺原稿の巻き取りが進行すると、図５（２）に示すように、長尺原稿４が押さえ片２１の外周に巻き付くため、長尺原稿が押さえ片２１を巻き込みつつ密着し、長尺原稿４と芯棒１３が滑ることなく、芯棒１３の回転で確実に長尺原稿４を巻き取ることができる。
図６は芯棒から長尺原稿を取り外す様子を示す断面図である。巻き取った長尺原稿４を芯棒１３から取り外す（巻き戻す）場合は、芯棒１３をＣ方向とは逆のＤ方向に回転させるか、あるいは長尺原稿４をＥ方向に引く。巻き終わりに押さえ片２１がＦ方向に開くので長尺原稿４をスムーズに取り出すことができる。
【図面の簡単な説明】
【０００９】
【図１】本発明の実施の形態に係る長尺原稿対応画像形成装置において、長尺原稿が給排紙される様子を示す側面図。
【図２】図１の斜め正面斜視図。
【図３】図２のＡ視図。
【図４】芯棒の斜視図。
【図５】芯棒に長尺原稿が巻き取られる様子を示す断面図。
【図６】芯棒から長尺原稿を取り外す様子を示す断面図。
【図７】従来例に係る長尺原稿対応画像形成装置において、長尺原稿が給排紙される様子を示す側面図。
【符号の説明】
【００１０】
１  本体
２  スキャナ部
４  長尺原稿
１１  排紙ガイド
１２  巻き取り装置
１３  芯棒
２１  押さえ片
【図１】
2006246256.tif 000003
【図２】
2006246256.tif 000004
【図３】
2006246256.tif 000005
【図４】
2006246256.tif 000006
【図５】
2006246256.tif 000007
【図６】
2006246256.tif 000008
【図７】
2006246256.tif 000009